(57)【要約】【技術課題】  周面観察と垂直方向からの観察をアダプターに取り付けた反射ミラーの切り替えだけで可能にした超小型近接撮影装置用アダプターを提供する。【解決手段】  超小型近接撮影装置用アダプターにおいて、ＣＣＤカメラのレンズ２と被観察物体ｂ間において、前記被観察物体ｂの周囲を周回しながらその周面を観察して光軸方向へ光を反射する周面観察用反射ミラー７と、前記周面観察用反射ミラー７からの光を光軸上で受けてカメラ方向へ反射する光軸反射ミラー９とから成る周面観察手段と、被観察物体ｂを垂直方向から観察した光を周方向に反射する第１光軸反射ミラー１５と、この光を垂直方向へ反射する第１周面反射ミラー１３と、この光を光軸ａ方向へ反射する第２周面反射ミラー１４と、この光をＣＣＤカメラ方向へ反射する光軸反射ミラー９で垂直方向からの観察手段を構成し、この切り替えだけで被観察物体ｂを周面及び垂直方向の両面から観察可能に構成する。【選択図】図４
2011017977.tif 000002
【特許請求の範囲】
【請求項１】
ＣＣＤカメラと被観察物体間において、前記被観察物体の周囲を周回しながらその周面を観察して光軸方向へ光を反射する周面観察用反射ミラーと、前記周面観察用反射ミラーからの光を光軸上で受けて前記ＣＣＤカメラ方向へ反射する光軸反射ミラーとで構成された周面観察手段と、被観察物体を垂直方向から観察した光を周方向へ反射する第１光軸反射ミラーと、この周方向へ反射した光を受けて垂直方向へ反射する第１周回反射ミラーと、この垂直方向で受けた光を光軸方向へ反射する第２周回反射ミラーと、前記第２周回反射ミラーからの光を受けてＣＣＤカメラ方向へ反射する第２光軸反射ミラーとで構成された垂直方向からの観察手段を設け、前記周面観察手段と垂直方向からの観察手段の切り換えにより被観察物体を周面及び垂直方向の双方から観察可能に構成して成る超小型近接撮影装置用アダプター。
【請求項２】
ＣＣＤカメラの前方において、光軸を中心として回転するロータリーリングと、このロータリーリングに対して被観察物体を斜め方向から観察した光を光軸方向へ反射する周面観察用反射ミラーと、前記周面観察用反射ミラーで反射された光を光軸上で受けてＣＣＤカメラ方向へ反射する光軸反射ミラーとで構成された周面観察手段を取り付けると共に、被観察物体を垂直方向から観察した光を周方向へ反射する第１光軸反射ミラーと、この第１光軸反射ミラーからの光を受けて垂直方向へ反射する第１周回反射ミラーと、この第１周回反射ミラーからの光を受けて光軸方向へ光を反射する第２周回反射ミラーと、この第２周回反射ミラーからの光を光軸上で受けてＣＣＤカメラ方向へ反射する第２光軸反射ミラーから成る垂直方向からの観察手段を取り付け、被観察物体を周面観察する際は前記周面観察手段により、被観察物体を垂直方向から観察する際は、ロータリーリングに回転自在に取り付けられたミラー取付枠を回転させて前記垂直方向からの観察手段に切り換えて観察を行うことができるように構成して成る超小型近接撮影装置用アダプター。
【請求項３】
前記第１及び第２光軸反射ミラーは、ロータリーリングに対して共通のマウントにより取り付けられていることを特徴とする請求項２に記載の超小型近接撮影装置用アダプター。
【請求項４】
前記第１及び第２周回反射ミラーは、ロータリーリングに対して共通のマウントにより取り付けられていることを特徴とする請求項２に記載の超小型近接撮影装置用アダプター。
【請求項５】
前記第１、第２光軸反射ミラー及び第１、第２周回反射ミラーを取り付けたマウントは、ロータリーリングに対して光軸方向へ向けて微調整自在に取り付けられていることを特徴とする請求項３又は４のいずれか１項に記載の超小型近接撮影装置用アダプター。
【請求項６】
前記第１及び第２光軸反射ミラーをプリズムで構成して成る請求項２に記載の超小型近接撮影装置用アダプター。
【請求項７】
前記第１及び第２周回反射ミラーをプリズムで構成して成る請求項２に記載の超小型近接撮影装置用アダプター。
【請求項８】
前記プリズムは、ロータリーリングに対して光軸方向へ向けて微調整自在に取り付けられていることを特徴とする請求項６又は７のいずれか１項に記載の超小型近接撮影装置用アダプター。
【発明の詳細な説明】
【技術分野】
【０００１】
本発明は、ＣＣＤカメラと称される超小型近接撮影装置に取り付けて用いられるアダプター関し、更に詳しくは、被観察物体を周面及び垂直方向から観察することができる超小型近接撮影装置用アダプターに関するものである。
【背景技術】
【０００２】
従来の超小型近接撮影装置用アダプターにおいて、被観察物体を垂直面から観察する装置以外に、周面から立体的に観察する装置として、本出願人は特許第３８８４５５８号公報に開示された内容のものを提案している。
【０００３】
しかし、同一の被観察物体を周面と垂直方向から観察したい場合、あるいは一つの被観察物体は周面方向から、別の物体は垂直方向から観察したい場合には、周面観察用アダプターと垂直方向からの観察用アダプターを用意しておき、これを観察のたびごとにカメラに付け換える必要があり、大変面倒であった。
【０００４】
また、周面方向と垂直方向とでそれぞれピントを合わせるためには、アダプターを付け換えた後でレンズの位置（焦点）を調整しなければならず、面倒であると共に、観察倍率が高い場合には被観察物体を見失ってしまうという不具合があった。
【先行技術文献】
【特許文献】
【０００５】
【特許文献１】特許第３８８４５５８号公報
【発明の概要】
【発明が解決しようとする課題】
【０００６】
本発明は上記した課題を解消するのが目的であって、具体的には、周囲及び垂直方向からの観察において、いちいちアダプターを交換したり、この交換した際にいちいちピント合わせを行う必要のない超小型近接撮影装置用アダプターを提供するのが目的である。
【課題を解決するための手段】
【０００７】
上記した課題を解決するため、請求項１に記載の発明は、超小型近接撮影装置用アダプターにおいて、ＣＣＤカメラと被観察物体間において、前記被観察物体の周囲を周回しながらその周面を観察して光軸方向へ光を反射する周面観察用反射ミラーと、前記周面観察用反射ミラーからの光を光軸上で受けて前記ＣＣＤカメラ方向へ反射する光軸反射ミラーとで構成された周面観察手段と、被観察物体を垂直方向から観察した光を周方向へ反射する第１光軸反射ミラーと、この周方向へ反射した光を受けて垂直方向へ反射する第１周回反射ミラーと、この垂直方向で受けた光を光軸方向へ反射する第２周回反射ミラーと、前記第２周回反射ミラーからの光を受けてＣＣＤカメラ方向へ反射する第２光軸反射ミラーとで構成された垂直方向からの観察手段を設け、前記周面観察手段と垂直方向からの観察手段の切り換えにより被観察物体を周面及び垂直面の双方から観察可能に構成して成ることを特徴とするものである。
【０００８】
また、請求項２に記載の発明は、請求項１に記載の超小型近接撮影装置用アダプターにおいて、ＣＣＤカメラの前方において、光軸を中心として回転するロータリーリングと、このロータリーリングに対して被観察物体を斜め方向から観察した光を光軸方向へ反射する周面観察用反射ミラーと、前記周面観察用反射ミラーで反射された光を光軸上で受けてＣＣＤカメラ方向へ反射する光軸反射ミラーとで構成された周面観察手段を取り付けると共に、被観察物体を垂直方向から観察した光を周方向へ反射する第１光軸反射ミラーと、この第１光軸反射ミラーからの光を受けて垂直方向へ反射する第１周回反射ミラーと、この第１周回反射ミラーからの光を受けて光軸方向へ光を反射する第２周回反射ミラーと、この第２周回反射ミラーからの光を光軸上で受けてＣＣＤカメラ方向へ反射する第２光軸反射ミラーから成る垂直方向からの観察手段を取り付け、被観察物体を周面観察する際は前記周面観察手段により、被観察物体を垂直方向から観察する際は、ロータリーリングに取り付けられたミラー取付枠を回転させて前記垂直方向からの観察手段に切り換えて観察を行うことができるように構成して成ることを特徴とするものである。
【０００９】
また、請求項３に記載の発明は、請求項２に記載の超小型近接撮影装置用アダプターにおいて、前記第１及び第２光軸反射ミラーは、ロータリーリングに対して共通のマウントにより取り付けられていることを特徴とするものである。
【００１０】
また、請求項４に記載の発明は、請求項２に記載の超小型近接撮影装置用アダプターにおいて、前記第１及び第２周回反射ミラーは、ロータリーリングに対して共通のマウントにより取り付けられていることを特徴とするものである。
【００１１】
また、請求項５に記載の発明は、請求項３又は４のいずれか１項に記載の超小型近接撮
影装置用アダプターにおいて、前記第１、第２光軸反射ミラー及び第１、第２周回反射ミラーを取り付けたマウントは、ロータリーリングに対して光軸方向へ向けて微調整自在に取り付けられていることを特徴とするものである。
【００１２】
また、請求項６に記載の発明は、請求項２に記載の超小型近接撮影装置用アダプターにおいて、前記第１及び第２光軸反射ミラーをプリズムで構成して成ることを特徴とするものである。
【００１３】
また、請求項７に記載の発明は、請求項６に記載の超小型近接撮影装置用アダプターにおいて、前記第１及び第２周回反射ミラーをプリズムで構成して成ることを特徴とするものである。
【００１４】
また、請求項８に記載の発明は、超小型近接撮影装置用アダプターにおいて、前記プリズムは、ロータリーリングに対して光軸方向へ向けて微調整自在に取り付けられていることを特徴とすることを特徴とするものである。
【発明の効果】
【００１５】
本発明は以上のとおり、一つのアダプターを用いて周面観察と垂直方向からの観察を行うことができるため、従来のようにいちいちカメラの前面に周面と垂直方向用アダプターを付け換えて観察を行う必要がなく、便利である。
【００１６】
また、従来のようにアダプターを交換した際に、ピント調整をいちいち行ったり、高倍率観察の際に被写体を見失わず（Ｘ軸、Ｙ軸）、ピントの調整（Ｚ軸）が不必要となる。
【図面の簡単な説明】
【００１７】
【図１】ＣＣＤカメラの前方に本発明に係るアダプターを取り付けた状態を光軸方向            から見た正面図である。
【図２】Ａ−Ａ´線断面図である。
【図３】垂直方向からの観察に切り替えた状態を光軸方向から見た正面図である。
【図４】Ｂ−Ｂ´線断面図である。
【図５】反射ミラーをプリズム化した状態の説明図である。
【発明を実施するための形態】
【００１８】
本発明は、ＣＣＤカメラを用いて行う超小型近接撮影装置に取り付けられて用いられるアダプターであって、被観察物体（以下「被写体」という。）を周面と垂直方向の双方から観察することができる点に特徴がある。
【実施例１】
【００１９】
図１乃至図４に基づいて本発明の実施例１を詳細に説明する。図１は光軸ａ方向（被写体方向）から装置を見た正面図、図２はＡ−Ａ´線断面図であって、１はＣＣＤカメラの前方であって、レンズ２側に取付リング３により取り付けられた取付枠であって、この取付枠１には、ベアリング４を介して光軸ａを中心として回転する反射ミラー取付用ロータリーリング５が組み付けられている。
【００２０】
６は前記ロータリーリング５に対して回転調整自在に取り付けられた周回観察手段における反射ミラー取付枠であって、この取付枠６には光軸ａ方向に向けて調整ねじ８により微調整可能に被写体ｂ（焦点）に向け、かつ光軸ａ方向へ水平に光を反射する周面反射ミラー７が取り付けられている。
【００２１】
９は光軸ａの位置において、前記周面反射ミラー７からの光を受けて光軸ａ方向（ＣＣＤカメラのレンズ２方向）へ光を反射する周面観察手段としての光軸反射ミラーであって、この光軸反射ミラー９は、前記周面反射ミラー７と同様に取付枠５に対してミラーマウント１０を介して取り付けられている。
【００２２】
１１はロータリーリング５に対して回転自在に取り付けられたミラー取付枠６を回転させることにより、周面と垂直方向からの観察にミラー群を切り替えるときに用いる切り替え手段である。
【００２３】
符号の１２は前記反射ミラー取付枠６に対して前記周面観察手段としての周面反射ミラー７から９０°回転した位置に取り付けられた垂直方向からの観察手段としての第１、第２周回反射ミラーマウントであって、このマウント１２には、図４に示すように、第１光軸反射ミラー１５から来た光を垂直方向に反射する第１周面反射ミラー１３と、この第１周面反射ミラー１３で反射された光を受けて光軸ａ方向へ反射する第２周面反射ミラー１４が取り付けられている。
【００２４】
次に、上記した本発明について、被写体ｂの周面観察と垂直方向からの観察を説明する。
【００２５】
周面観察状態は、図１及び図２に示されていて、周面反射ミラー７と光軸反射ミラー９を対向させると被写体ｂからの光は周面反射ミラー７へ入り、ここで光軸反射ミラー９側へ反射し、光軸反射ミラー９からＣＣＤカメラのレンズ２へ入光される。この結果、ロータリーリング５を周回させることにより、被写体ｂの周囲をＣＣＤカメラで観察することができる。
【００２６】
次に垂直方向からの観察を行う場合には、図３に示すように取付枠６を図１の状態から左方向に９０°回転させて前記第１光軸反射ミラー１５及び光軸反射ミラー９に第１、第２周面反射ミラー１３、１４を対向させる。このように反射ミラーを切り替えることにより、被写体ｂからの光は、第１光軸反射ミラー１５で第１周面反射ミラー１３側へ反射し、この第１周面反射ミラー１３で反射された光は垂直方向へ反射して第２周面反射ミラー１４で光軸ａ方向へ反射して光軸反射ミラー９で光軸ａ方向へ反射してＣＣＤカメラへ入力される。この結果、周面観察から垂直方向からの観察に際し、観察位置及びピントを動かさずに観察を行うことができる。
【実施例２】
【００２７】
本実施例２は、実施例１の第１光軸反射ミラー１５及び光軸反射ミラー９をプリズム２０で一体化し、第１周面反射ミラー１３と第２周面反射ミラー１４をプリズム２１で一体化したもので、光の反射作用は上記実施例１と同一である。
【図１】
2011017977.tif 000003
【図２】
2011017977.tif 000004
【図３】
2011017977.tif 000005
【図４】
2011017977.tif 000006
【図５】
2011017977.tif 000007